(57)【要約】【課題】製造性が良く且つ小型化を実現させることができる光モジュールを提供する。【解決手段】フェルール１０と、レンズアレイ１１と、ベース２１と、フィルタブロック２２と、フィルタブロック２２から見てレンズアレイ１１の反対側にフィルタブロック２２に面接触して配置される反射鏡ブロック２３と、第１方向Ｄ１の一端に搭載されるリフレクタ２４とを備え、リフレクタ２４は、方向Ａ２に対して傾斜する第２方向Ｄ２に沿って延びる反射面２４ｂを有し、反射鏡ブロック２３は、複数のフィルタブロック２２に面接触する面と反対側に第１方向Ｄ１に沿って延びる反射面である第２面２３ｂを有し、各フィルタブロック２２は、光ファイバ７から出射した光、及び第２面２３ｂにおいて反射した光のうち、特定波長の光Ｌ２，Ｌ４，Ｌ６，Ｌ７を透過すると共に特定波長以外の光Ｌ１，Ｌ３，Ｌ５を反射する。【選択図】図１１
2019139147.tif 000002
【特許請求の範囲】
【請求項１】
複数の光ファイバを備えると共に、前記複数の光ファイバのそれぞれからの光に対し合波及び分波の少なくともいずれかを行う光モジュールであって、
端面を有し、前記複数の光ファイバを保持し、前記端面に前記複数の光ファイバの先端面が露出するフェルールと、
前記フェルールの前記端面に取り付けられると共に、前記複数の光ファイバのそれぞれと光結合するレンズアレイと、
前記複数の光ファイバが並ぶ方向を含む平面に平行な底面を有し、前記レンズアレイを保持した状態で前記フェルールの前記端面に取り付けられるベースと、
前記複数の光ファイバが並ぶ方向に対して、傾斜する第１方向に沿って前記ベースの前記底面上に搭載される複数のフィルタブロックと、
前記ベースの前記底面上に搭載されると共に、前記複数のフィルタブロックから見て前記レンズアレイの反対側に前記複数のフィルタブロックに面接触して配置される反射鏡ブロックと、
前記ベースの前記底面上において、前記複数のフィルタブロックの前記第１方向の一端に搭載されるリフレクタと、
を備え、
前記リフレクタは、前記レンズアレイに対向すると共に前記複数の光ファイバの光軸方向に対して傾斜する第２方向に沿って延びる第１反射面を有し、
前記反射鏡ブロックは、前記複数のフィルタブロックに面接触する面と反対側に前記第１方向に沿って延びる第２反射面を有し、
前記複数のフィルタブロックのそれぞれは、前記複数の光ファイバのそれぞれから出射した光、及び前記第２反射面において反射した光のうち、特定波長の光を透過すると共に前記特定波長以外の光を反射する、
光モジュール。
【請求項２】
前記光ファイバが並ぶ方向に対する前記第１方向の角度は１２°である、
請求項１に記載の光モジュール。
【請求項３】
前記複数のフィルタブロックのそれぞれに対する前記第２反射面から入射する光の入射角、及び前記レンズアレイから入射する光の入射角は、共に８°である、
請求項１又は２に記載の光モジュール。
【請求項４】
前記光ファイバの光軸方向に対する前記第２方向の角度は１２°である、
請求項１〜３のいずれか一項に記載の光モジュール。
【請求項５】
前記複数のフィルタブロック、前記反射鏡ブロック、及び前記リフレクタは、前記ベースの前記底面上において互いに密着する、
請求項１〜４のいずれか一項に記載の光モジュール。
【発明の詳細な説明】
【技術分野】
【０００１】
本発明は、光モジュールに関するものである。
【背景技術】
【０００２】
特許文献１には、波長分割多重通信用光分波器が記載されている。波長分割多重通信用光分波器は、７本の光ファイバを有するファイバアレイユニットと、７個のコリメータレンズと、４個のＷＤＭ（Wavelength  Division  Multiplexing）フィルタと、２個のＷＤＭフィルタの間に設けられる光伝搬媒体とを備える。波長分割多重通信用光分波器において、１本の光ファイバから出射した光は、コリメータレンズを透過して平行波に変換され、ＷＤＭフィルタに到達する。ＷＤＭフィルタに到達した光のうち、特定波長の光は反射され、特定波長以外の光はＷＤＭを透過する。複数のＷＤＭフィルタのそれぞれにおいて反射した光は、コリメータレンズを透過して集束光に変換され、４本の光ファイバのそれぞれに集光される。
【０００３】
特許文献２には、複数の光ファイバを備えた多芯コネクタとしてＭＴコネクタが記載されている。ＭＴコネクタは、２本の光ファイバと、２本の光ファイバを保持する光ファイバ集合器と、２本の光ファイバ及び光ファイバ集合器の先端に設けられたレンズ集合器とを備える。レンズ集合器は、２本の光ファイバのうちの一方から出射した光が通るレンズを備える。また、引用文献２には、２個の光ファイバ集合器の間に誘電体多層膜が介在する構成が記載されており、２本の光ファイバの一方から出射した光のうち、特定波長の光は誘電体多層膜において反射し、特定波長以外の光は誘電体多層膜を透過する。誘電体多層膜において反射した光は、２本の光ファイバの他方に入射する。
【０００４】
特許文献３には、プラグコネクタとソケットコネクタとを備えた光モジュールが記載されている。プラグコネクタ及びソケットコネクタのそれぞれには２本の光ファイバが通されている。プラグコネクタはソケットコネクタに嵌合する棒状のプラグを有し、ソケットコネクタはプラグが挿入されるガイドを有し、ガイドにプラグが嵌合した状態でプラグコネクタとソケットコネクタは互いに対向する。プラグコネクタ及びソケットコネクタが互いに対向する各端面には各光ファイバが露出している。また、プラグコネクタの端面とソケットコネクタの端面との間には波長選択フィルタが介在しており、波長選択フィルタは、各光ファイバから出射した光のうち、特定波長の光を透過すると共に特定波長以外の光を反射する。
【０００５】
特許文献４には、光受信モジュールが記載されている。光受信モジュールは、パッケージ部の内部に配置された光分波器と、プリズムによって形成された反射器とを備える。光分波器は、波長多重化された信号光を、互いに異なる波長の複数の分波信号光に分波する。光分波器は、多層膜ミラーによって構成された反射部材と、多層膜フィルタによって構成されると共に互いに透過する波長が異なる４個の波長フィルタと、反射部材及び複数の波長フィルタを一体化する透明光学部材とを有する。波長多重化された信号光は、反射部材において反射し、１番目に配列された波長フィルタに到達する。１番目に配列された波長フィルタでは、特定波長の信号光を透過し、特定波長以外の信号光を反射する。１番目に配列された波長フィルタにおいて反射した光は、反射部材において再度反射し、２番目に配列された波長フィルタに到達する。２番目に配列された波長フィルタでは、特定波長の信号光を透過し、特定波長以外の波長の光を反射する。このように、各波長フィルタにおいて特定波長の信号光を透過すると共に特定波長以外の光を反射することによって、波長多重化された信号光を分波する。
【先行技術文献】
【特許文献】
【０００６】
【特許文献１】特開２００４−８５８６０号公報
【特許文献２】特開２００４−１８４４２９号公報
【特許文献３】特開２００５−１４８２７９号公報
【特許文献４】特開２０１３−２０１４７３号公報
【発明の概要】
【発明が解決しようとする課題】
【０００７】
ところで、複数の光ファイバを備えると共に光信号の合波又は分波を行う光モジュールでは、例えば光通信ネットワークの高速大容量化のためにＷＤＭ信号の多重度を増やすという必要性に対して、光ファイバの多芯化の進行に伴い部品点数が増加し、小型化が難しいという現状がある。また、部品点数の増加に伴って光モジュールの製造を効率よく行うことが求められ、光モジュールの製造性の点で改善の余地がある。このように、光モジュールでは、製造性が良く且つ小型化を実現させることが求められている。
【０００８】
本発明は、製造性が良く且つ小型化を実現させることができる光モジュールを提供することを目的とする。
【課題を解決するための手段】
【０００９】
前述した問題を解決するため、本発明の一側面に係る光モジュールは、複数の光ファイバを備えると共に、複数の光ファイバのそれぞれからの光に対し合波及び分波の少なくともいずれかを行う光モジュールであって、端面を有し、複数の光ファイバを保持し、端面に複数の光ファイバの先端面が露出するフェルールと、フェルールの端面に取り付けられると共に、複数の光ファイバのそれぞれと光結合するレンズアレイと、複数の光ファイバが並ぶ方向を含む平面に平行な底面を有し、レンズアレイを保持した状態でフェルールの端面に取り付けられるベースと、複数の光ファイバが並ぶ方向に対して、傾斜する第１方向に沿ってベースの底面上に搭載される複数のフィルタブロックと、ベースの底面上に搭載されると共に、複数のフィルタブロックから見てレンズアレイの反対側に複数のフィルタブロックに面接触して配置される反射鏡ブロックと、ベースの底面上において、複数のフィルタブロックの第１方向の一端に搭載されるリフレクタと、を備え、リフレクタは、レンズアレイに対向すると共に複数の光ファイバの光軸方向に対して傾斜する第２方向に沿って延びる第１反射面を有し、反射鏡ブロックは、複数のフィルタブロックに面接触する面と反対側に第１方向に沿って延びる第２反射面を有し、複数のフィルタブロックのそれぞれは、複数の光ファイバのそれぞれから出射した光、及び第２反射面において反射した光のうち、特定波長の光を透過すると共に特定波長以外の光を反射する。
【発明の効果】
【００１０】
本発明によれば、製造性が良く且つ小型化を実現させることができる。
【図面の簡単な説明】
【００１１】
【図１】図１は、本発明の第１実施形態に係る光モジュールを示す斜視図である。
【図２】図２は、図１の光モジュールにおけるケーブルとリボンファイバとのジャケットを介した接続を示す平面図である。
【図３】図３は、図１の光モジュールの分解斜視図である。
【図４】図４は、図１の光モジュールのフェルール及びレンズアレイを示す斜視図である。
【図５】図５は、図１の光モジュールのフェルールの端面、及び光ファイバの先端面を示す斜視図である。
【図６】図６は、図１の光モジュールのフィルタブロック、反射鏡ブロック、リフレクタ、及びベースを示す平面図である。
【図７】図７は、図６のフィルタブロック、反射鏡ブロック、リフレクタ、及びベースを示す斜視図である。
【図８】図８は、図７のベースを光ファイバの光軸方向から見た斜視図である。
【図９】図９は、図７のベースを図８とは異なる方向から見た斜視図である。
【図１０】図１０は、図６のリフレクタ、反射鏡ブロック、フィルタブロック、レンズアレイ、及び光ファイバを通る光の光路を示す図である。
【図１１】図１１は、図６のリフレクタ、反射鏡ブロック、及びフィルタブロックを通る光の光路を示す図である。
【図１２】図１２は、本発明の第２実施形態に係る光モジュールを示す斜視図である。
【図１３】図１３は、図１２の光モジュールのフェルール、レンズアレイ、及びＴＦＢブロックを示す斜視図である。
【図１４】図１４は、図１３のフェルール及びＴＦＢアセンブリを通る光の光路を示す図である。
【図１５】図１５は、図１３のフェルール及びＴＦＢアセンブリの光路を示す側面図である。
【図１６】図１６は、図１３のフェルール及びＴＦＢアセンブリを通る光の光路であって図１４とは異なる光路を示す図である。
【図１７】図１７は、図１３のフェルール及びＴＦＢアセンブリの光路であって図１５とは異なる光路を示す側面図である。
【発明を実施するための形態】
【００１２】
［本願発明の実施形態の説明］
最初に、本願発明の実施形態の内容を列記して説明する。本願発明の一実施形態に係る光モジュールは、複数の光ファイバを備えると共に、複数の光ファイバのそれぞれからの光に対し合波及び分波の少なくともいずれかを行う光モジュールであって、端面を有し、複数の光ファイバを保持し、端面に複数の光ファイバの先端面が露出するフェルールと、フェルールの端面に取り付けられると共に、複数の光ファイバのそれぞれと光結合するレンズアレイと、複数の光ファイバが並ぶ方向を含む平面に平行な底面を有し、レンズアレイを保持した状態でフェルールの端面に取り付けられるベースと、複数の光ファイバが並ぶ方向に対して、傾斜する第１方向に沿ってベースの底面上に搭載される複数のフィルタブロックと、ベースの底面上に搭載されると共に、複数のフィルタブロックから見てレンズアレイの反対側に複数のフィルタブロックに面接触して配置される反射鏡ブロックと、ベースの底面上において、複数のフィルタブロックの第１方向の一端に搭載されるリフレクタと、を備え、リフレクタは、レンズアレイに対向すると共に複数の光ファイバの光軸方向に対して傾斜する第２方向に沿って延びる第１反射面を有し、反射鏡ブロックは、複数のフィルタブロックに面接触する面と反対側に第１方向に沿って延びる第２反射面を有し、複数のフィルタブロックのそれぞれは、複数の光ファイバのそれぞれから出射した光、及び第２反射面において反射した光のうち、特定波長の光を透過すると共に特定波長以外の光を反射する。
【００１３】
この光モジュールでは、リフレクタは、レンズアレイに対向すると共に光ファイバの光軸方向に対して傾斜する第２方向に沿って延びる第１反射面を有し、反射鏡ブロックは第１方向に沿って延びる第２反射面を有し、各フィルタブロックは受けた光のうち特定波長の光を透過すると共に特定波長以外の光を反射する。よって、１本の光ファイバからレンズアレイを介してリフレクタに向かう光は、第１反射面において反射して第２反射面に到達し、第２反射面において反射された後にフィルタブロックに入射する。フィルタブロックに入射した光のうち、特定波長の光はフィルタブロックを透過して光ファイバに到達し、特定波長以外の光はフィルタブロックにおいて反射して第２反射面に到達し、第２反射面において反射された後に別のフィルタブロックに入射する。このように、１本の光ファイバからリフレクタに向かう光を各フィルタブロック及び各光ファイバに分岐することができると共に、互いに異なる波長を有する複数の光を等間隔に光ファイバに入射させることができる。また、各光ファイバから各フィルタブロックに入射する光は、上記の光の光路と逆向きに進行するので、各フィルタブロック、反射鏡ブロック、リフレクタ及びレンズアレイを介して１本の光ファイバに合波することができる。この光モジュールでは、リフレクタ、反射鏡ブロック、及び複数のフィルタブロックがいずれもベース上に搭載される。従って、ベース上にリフレクタ、反射鏡ブロック、及び複数のフィルタブロックを効率よく配置することにより、各部品の小型化を維持しつつ、光を合波又は分波する光モジュールを効率よく製造することができる。よって、光モジュールの製造性を良好にすると共に小型化を実現させることができる。
【００１４】
また、光ファイバが並ぶ方向に対する第１方向の角度は１２°であってもよい。この場合、光ファイバが並ぶ方向に対して複数のフィルタブロックを並べる方向が傾くので、複数のフィルタブロックを効率よく配置することができる。よって、製造性を一層良好にすると共に小型化を実現させることができる。
【００１５】
また、複数のフィルタブロックのそれぞれに対する第２反射面から入射する光の入射角、及びレンズアレイから入射する光の入射角は、共に８°であってもよい。このように、複数のフィルタブロック、及び反射鏡ブロックに対する光の屈折角を８°とすることができる。
【００１６】
また、光ファイバの光軸方向に対する第２方向の角度は１２°であってもよい。この場合、光ファイバの光軸方向に対するリフレクタの第１反射面の延在方向が１２°となる。よって、１本の光ファイバからの光を小さい角度で第１反射面に入射させることができる。
【００１７】
また、複数のフィルタブロック、反射鏡ブロック、及びリフレクタは、ベースの底面上において互いに密着してもよい。この場合、ベース上に搭載される各部品が互いに密着する。従って、ベース上の各部品を密着した状態で搭載できるので、各部品を一層効率よく配置することができる。よって、光モジュールの小型化を実現させると共に製造性を更に高めることができる。
【００１８】
［本願発明の実施形態の詳細］
本願発明の実施形態に係る光モジュールの具体例を、以下で図面を参照しながら説明する。なお、本発明は、以降の例示に限定されるものではなく、特許請求の範囲によって示され、特許請求の範囲と均等の範囲内における全ての変更が含まれることが意図される。以下の説明では、図面の説明において、同一又は相当する要素には同一の符号を付し、重複する説明を適宜省略する。
【００１９】
（第１実施形態）
図１は、第１実施形態に係る光モジュール１を示す斜視図である。図１に示されるように、光モジュール１は、複数のコネクタ２と、各コネクタ２から延びる複数のケーブル３と、各ケーブル３のコネクタ２との反対側に位置するジャケット４と、ジャケット４からケーブル３の反対側に延び出すリボンファイバ５と、リボンファイバ５のジャケット４との反対側に位置するフェルール１０と、フェルール１０に取り付けられるＴＦＢ（Thin film Filter Block）アセンブリ２０とを備える。
【００２０】
コネクタ２は、光コネクタであり、例えば、ＬＣコネクタである。光モジュール１は、コネクタ２を備えることにより光モジュール１を他のデバイスに光学的に接続することが可能である。例えば、ケーブル３は各コネクタ２から延び出すパッチコードである。一例として、光モジュール１は複数のコネクタ２を備えており、複数のコネクタ２のうちの１つに光信号が入力される。１つのコネクタ２に入力される光信号はケーブル３、ジャケット４、リボンファイバ５、及びフェルール１０を介してＴＦＢアセンブリ２０に到達する。ＴＦＢアセンブリ２０は、入力された１つの光信号を反射及び透過して当該１つの光信号を複数の光信号に分波する。この場合、光モジュール１は光分波器である。
【００２１】
具体例として、コネクタ２及びケーブル３は５個ずつ設けられている。光モジュール１では、複数（例えば４つ）のコネクタ２のそれぞれに光信号を入力することが可能であり、この場合、複数の光信号のそれぞれはケーブル３、ジャケット４、リボンファイバ５、及びフェルール１０を介してＴＦＢアセンブリ２０に到達する。ＴＦＢアセンブリ２０は、入力された複数の光信号を透過及び反射して当該複数の光信号を１つの光信号（例えばＷＤＭ信号）に合波する。この場合、光モジュール１は光合波器である。このように、光モジュール１は、光分波器又は光合波器として用いられる。
【００２２】
図２は、ケーブル３、ジャケット４及びリボンファイバ５を示す平面図である。図２に示されるように、ジャケット４には各ケーブル３の端部が挿入されており、リボンファイバ５はジャケット４からケーブル３の反対側に延び出している。各ケーブル３の内部には光ファイバ６が通されており、ジャケット４の内部において各光ファイバ６は各ケーブル３から延び出している。一方、リボンファイバ５は複数の光ファイバ７を備えており、ジャケット４の内部において各光ファイバ７はリボンファイバ５から延び出している。ジャケット４の内部において、ケーブル３の各光ファイバ６は、複数の光ファイバ７の一部のそれぞれに接続している。具体例として、５本の光ファイバ６のそれぞれは、１２本の光ファイバ７のうち５本のそれぞれに接続している。
【００２３】
図３は、フェルール１０及びＴＦＢアセンブリ２０を示す分解斜視図である。図４は、マイクロレンズアレイであるレンズアレイ１１が取り付けられたフェルール１０を示す斜視図である。図５は、レンズアレイ１１が外されたフェルール１０を示す斜視図である。図３〜図５に示されるように、リボンファイバ５の先端にはフェルール１０が取り付けられており、フェルール１０は前述した複数の光ファイバ７を保持している。複数の光ファイバ７は互いに等間隔となるように配置されている。例えば、フェルール１０は、１２本の光ファイバ７を保持する１２芯ＭＴコネクタを構成し、一例として、複数の光ファイバ７の間隔（中心線間の距離）は０．２５ｍｍである。フェルール１０は、光ファイバ７の先端面７ａが露出する端面１２を有し、端面１２にレンズアレイ１１が取り付けられる。端面１２は、光ファイバ７の延びる方向（光軸）に垂直な平面である。
【００２４】
フェルール１０の端面１２は、例えば、長方形状を呈し、平坦状とされている。端面１２には、ＴＦＢアセンブリ２０の後述するベース２１が接続される一対のガイド孔１２ａが形成されている。端面１２には、複数の光ファイバ７の先端面７ａが端面１２の長手方向に沿って配列されている。一対のガイド孔１２ａの一方は、複数の先端面７ａの一端側に形成され、一対のガイド孔１２ａの他方は、複数の先端面７ａの他端側に形成されている。すなわち、一対のガイド孔１２ａは、２つのガイド孔１２ａの間に複数の先端面７ａが配置されるように形成されている。
【００２５】
レンズアレイ１１は、例えば、矩形板状を呈する。レンズアレイ１１は、複数のレンズ部１１ａを有する。レンズ部１１ａは、光ファイバ７の先端面７ａからの発散光をコリメート光に変換するコリメートレンズである。各レンズ部１１ａは、複数の光ファイバ７のうち、ケーブル３の光ファイバ６が接続されている光ファイバ７と光学的に結合する。具体例として、図２に示される１２本の光ファイバ７のうち左から２番目、４番目、６番目、８番目及び１０番目に位置する各光ファイバ７にレンズアレイ１１の各レンズ部１１ａが光学的に結合する。すなわち、本実施形態では複数（１２本）の光ファイバ７のうち一部（５本）のみを利用しており、利用する複数の光ファイバ７は１本おきに配置される。このため、利用する光ファイバ７同士の間隔は０．５ｍｍ（０．２５ｍｍ×２）となる。従って、光ファイバ７と光学的に結合するために、レンズ部１１ａ同士の間隔（中心間の距離）は一定となり、かつ、利用する光ファイバ７同士の間隔と一致するようにレンズアレイ１１は形成されている。
【００２６】
各光ファイバ７に対するレンズアレイ１１の調心は、例えば、各光ファイバ７からの光をモニタしながら（当該光の強度が最大となるように）各光ファイバ７の光軸に直交する方向にレンズアレイ１１を光ファイバ７に対して動かすことによって行われる（このような調心方法をアクティブ調心という）。例えば、光ファイバ７の光軸の方向をＺ軸とすると、レンズアレイ１１をＸ−Ｙ平面内で移動させてアクティブ調心を行う。光ファイバ７に対するレンズアレイ１１の調心の後には、レンズアレイ１１を端面１２に接着剤（樹脂）によって固定する。なお、レンズアレイ１１の調心に使用する光は、モニタに適した光を用いればよく、光モジュール１が分波あるいは合波する光信号とは入出力の向きや波長が異なる光であってもよい。
【００２７】
図３に示されるように、ＴＦＢアセンブリ２０は、フェルール１０に取り付けられるベース２１と、複数のフィルタブロック２２と、フィルタブロック２２から見てレンズアレイ１１の反対側に配置される反射鏡ブロック２３と、光ファイバ７又は反射鏡ブロック２３からの光を反射するリフレクタ２４とを備える。フィルタブロック２２、反射鏡ブロック２３、及びリフレクタ２４は、例えば、屈折率が１．５０とされたガラスによって構成されている。複数のフィルタブロック２２、反射鏡ブロック２３、及びリフレクタ２４は、いずれもベース２１上に搭載される。
【００２８】
図６は、ＴＦＢアセンブリ２０を示す平面図である。図７は、ＴＦＢアセンブリ２０を示す斜視図である。図８は、ＴＦＢアセンブリ２０をフェルール１０側から見た斜視図である。図６〜図８に示されるように、フィルタブロック２２、反射鏡ブロック２３、及びリフレクタ２４は、いずれも直方体状を呈する。フィルタブロック２２は、誘電体多層膜がコーティングされた誘電体多層膜コート面を有する多層膜ブロック（多層膜フィルタ）である。誘電体多層膜コート面は、後述するように、光の入射する方向（向き）に応じて、２つの互いに異なる波長の光信号を１つの光信号に多重化（合波）したり、１つの多重化された光信号を２つの互いに異なる波長の光信号に分離（分波あるいは分光）することができる。複数のフィルタブロック２２は、複数の光ファイバ７が並ぶ方向Ａ１に対して傾斜する第１方向Ｄ１に沿って配置される。方向Ａ１に対する第１方向Ｄ１の角度は、複数のフィルタブロック２２の屈折率に応じて設定され、例えば１２°である。
【００２９】
複数のフィルタブロック２２は互いに密着している。複数のフィルタブロック２２のそれぞれは、複数の光ファイバ７のそれぞれ又は反射鏡ブロック２３から光を受け、受けた光のうち特定波長の光を透過し、特定波長以外の光を反射する。複数のフィルタブロック２２において、透過させる光の特定波長は互いに異なっている。従って、複数のフィルタブロック２２のそれぞれによって互いに異なる波長の光に分波したり、互いに異なる波長の複数の光を各フィルタブロック２２が受けて当該複数の光を合波したりすることが可能である。なお、ＷＤＭ信号の場合、複数のフィルタブロック２２は、例えば、特定の波長を含むある帯域の波長について光を透過させ、その帯域以外の波長について光を反射させるような分光特性を有する誘電体多層膜コート面を使用できる。例えば、ＷＤＭ信号に含まれる個々の光信号の波長は所定の間隔以上で離れているので、複数のフィルタブロック２２のカット特性（例えば、ある値より長い波長は透過させ、ある値よりも短い波長は反射させるという分光特性の急峻さ）は光信号の波長の間隔に応じて設定される。
【００３０】
反射鏡ブロック２３は、反射鏡が設けられた反射鏡付きブロックである。反射鏡ブロック２３は、第１方向Ｄ１に沿うように傾斜して配置されており、複数のフィルタブロック２２のそれぞれに密着する。反射鏡ブロック２３の第１方向Ｄ１の一方の端部はフィルタブロック２２からはみ出しており、反射鏡ブロック２３の第１方向Ｄ１の他方の端部はフィルタブロック２２の端部に揃えられる。
【００３１】
リフレクタ２４は、光ファイバ７の光軸方向である方向Ａ２に対して傾斜する第２方向Ｄ２に沿って延びるように配置される。なお、第１方向Ｄ１及び第２方向Ｄ２は互いに交差（例えば直交）している。方向Ａ２に対する第２方向Ｄ２の角度は、リフレクタ２４の屈折率に応じて設定され、例えば１２°である。以上のように、方向Ａ１と第１方向Ｄ１との成す角度、及び方向Ａ２と第２方向Ｄ２との成す角度が共に１２°であること、並びに、フィルタブロック２２、反射鏡ブロック２３、及びリフレクタ２４が屈折率１．５のガラスであることから、レンズアレイ１１のレンズ部１１ａからコリメート光がリフレクタ２４に入射するときの屈折角はスネルの法則により８°となる。これにより、フィルタブロック２２への光の入射角を８°と十分に小さくすることにより、フィルタブロック２２における光の選択透過を確実に行うことが可能となる。一般に、誘電体多層膜コート面は、分光特性に入射角依存性があるため、入射角を所定の値よりも小さくすることが好ましい。
【００３２】
リフレクタ２４は、複数のフィルタブロック２２の第１方向Ｄ１の一端に搭載されると共に、レンズアレイ１１のレンズ部１１ａに対向するように配置される。リフレクタ２４は、１つのフィルタブロック２２と反射鏡ブロック２３に密着する。また、複数のフィルタブロック２２、反射鏡ブロック２３、及びリフレクタ２４は互いに密着し、互いに接着剤（樹脂）によって固定される。この接着剤は、例えば硬化後の屈折率がガラスの屈折率（１．５）と同程度となる接着剤（樹脂）である。
【００３３】
図９は、ベース２１を示す斜視図である。図８及び図９に示されるように、ベース２１は、方向Ａ１及び方向Ａ２に延びる矩形状を成しており、高さ方向である方向Ａ３に厚みを有する。方向Ａ３は、方向Ａ１及び方向Ａ２の双方に交差（例えば直交）する方向である。ベース２１は、例えば、金属によって構成されており、ダイキャスト等、金型による成型加工によって形成される。この場合、ベース２１にかかるコストを抑えることが可能となる。しかしながら、ベース２１は、プラスチックによって構成されていてもよく、ベース２１の材料は適宜変更可能である。但し、ベース２１の材料は、温度の変化による応力の影響を抑制するため、フィルタブロック２２、反射鏡ブロック２３、及びリフレクタ２４の線膨張係数と合っているか、またはできるだけ近い線膨張係数を有する材料であることが好ましい。
【００３４】
ベース２１は、複数のフィルタブロック２２、反射鏡ブロック２３、及びリフレクタ２４が搭載される凹部２１ａを有する。この凹部２１ａにフィルタブロック２２、反射鏡ブロック２３及びリフレクタ２４が搭載されることにより、搭載されたときにフィルタブロック２２、反射鏡ブロック２３、及びリフレクタ２４がベース２１から方向Ａ３に突出しないようにすることが可能となる。
【００３５】
図７及び図９に示されるように、ベース２１の凹部２１ａは、フィルタブロック２２、反射鏡ブロック２３、及びリフレクタ２４が接触する底面２１ｂと、フィルタブロック２２及びリフレクタ２４が対面する第１内面２１ｃと、反射鏡ブロック２３が接触する第２内面２１ｄと、第１内面２１ｃの方向Ａ１の両端それぞれから方向Ａ１に更に延びる第３内面２１ｅ及び第４内面２１ｆとを有する。底面２１ｂは、例えば方向Ａ１及び方向Ａ２に延在する平坦状とされている。底面２１ｂは、複数の光ファイバ７のそれぞれの光軸を含む平面と平行となるように設定される。第１内面２１ｃは第１方向Ｄ１及び方向Ａ３に沿って平坦状に延びている。第１内面２１ｃ、第２内面２１ｄ、第３内面２１ｅ、及び第４内面２１ｆは、底面２１ｂに対して垂直に延びており、底面２１ｂに対する垂直度を確保するために精密加工がなされている。
【００３６】
第１内面２１ｃ及び第２内面２１ｄは、互いに平行に延びている。第１内面２１ｃ及び第２内面２１ｄは、その平行度を確保するため、共に精密加工がなされている。第２内面２１ｄと底面２１ｂの間には底面２１ｂから窪む凹部２１ｇが形成されている。凹部２１ｇは、第１方向Ｄ１に沿って直線状に延びている。凹部２１ｇは、ベース２１の成型時のフィレット又はＴＦＢアセンブリ２０の各部品のチッピング等による干渉を避けるために設けられる。
【００３７】
図８及び図９に示されるように、ベース２１の第１内面２１ｃ、第３内面２１ｅ及び第４内面２１ｆの反対側には、フェルール１０の端面１２が対向する端面２１ｈが形成されている。第１内面２１ｃ及び端面２１ｈには貫通孔２１ｊが形成されており、例えば、貫通孔２１ｊは方向Ａ１に長く延びる長方形状とされている。貫通孔２１ｊは、フィルタブロック２２又はリフレクタ２４とレンズアレイ１１との間を通る光路のための孔である。
【００３８】
端面２１ｈには、レンズアレイ１１を保持する凹部２１ｋが形成されており、凹部２１ｋは貫通孔２１ｊを囲むように設けられる。凹部２１ｋにレンズアレイ１１が嵌り込むことによって、レンズアレイ１１はベース２１に保持される。凹部２１ｋには、レンズアレイ１１及びベース２１を互いに接着する接着剤が入り込む。また、端面２１ｈには、端面２１ｈから方向Ａ２に突出する一対のガイド２１ｍが設けられている。一対のガイド２１ｍは、凹部２１ｋの方向Ａ１の両側それぞれに設けられている。すなわち、一対のガイド２１ｍは、２つのガイド２１ｍの間に凹部２１ｋが配置されるように設けられている。
【００３９】
ガイド２１ｍは、ＴＦＢアセンブリ２０をフェルール１０に取り付けるために設けられた突起である。各ガイド２１ｍがフェルール１０の各ガイド孔１２ａに嵌め込まれることにより、光ファイバ７の光軸方向（方向Ａ２）におけるレンズアレイ１１とＴＦＢアセンブリ２０との調心が行われると共に、フェルール１０に対するＴＦＢアセンブリ２０の位置決めがなされる。このようなレンズアレイ１１とＴＦＢアセンブリ２０との調心方法は、アクティブ調心のように光のモニタを必要とせず、パッシブ調心という。レンズアレイ１１とフィルタブロック２２及びリフレクタ２４との間の光路を通る光はコリメート光となっているためパッシブ調心を可能としている。
【００４０】
図１０は、光ファイバ７、フェルール１０、レンズアレイ１１及びＴＦＢアセンブリ２０を示す平面図である。図１０及び図１１では、図示を分かりやすくするために光の光軸以外の部分を全て実線で示している。図１０に示されるように、ガイド２１ｍの外面とガイド孔１２ａの内面との間には、前述した調心（パッシブ調心）及び位置決めが可能な程度のクリアランスＣが設けられる。前述の調心を行うときに、例えば、ベース２１とフェルール１０との接合部の周囲に接着剤としてＵＶ樹脂を塗布し、このＵＶ樹脂を硬化させることによってフェルール１０とＴＦＢアセンブリ２０とを互いに接合する。
【００４１】
図１１は、図１０のＴＦＢアセンブリ２０を拡大した平面図である。図１０及び図１１に示されるように、各フィルタブロック２２は、レンズアレイ１１側を向く第１面２２ａと、第１面２２ａの反対側（反射鏡ブロック２３側）を向く第２面２２ｂと、第１面２２ａ及び第２面２２ｂに直交する一対の側面２２ｃとを有する。第２面２２ｂは、分光特性を有する誘電体多層膜がコーティングされた多層膜コート面であり、第１面２２ａ及び第２面２２ｂは、共に精密加工がなされている。この精密加工によって第１面２２ａと第２面２２ｂとの間隔が所望の間隔になると共に、第１面２２ａ及び第２面２２ｂの平行度が確保される。なお、第１面２２ａと第２面２２ｂとの間隔の精度は±１０μｍ以下であることが好ましい。この場合、フィルタブロック２２からの光の出射位置がずれて軸ずれを誘発する可能性を抑えることが可能となる。軸ずれは、例えばフィルタブロック２２とレンズアレイ１１との光学結合の結合効率を低下させ、光モジュール１の挿入損失を増大させる要因となる。
【００４２】
前述したように、複数のフィルタブロック２２は第１方向Ｄ１に沿って配列されており、第１方向Ｄ１の中央側に位置する２個のフィルタブロック２２の側面２２ｃは隣接するフィルタブロック２２の側面２２ｃに密着する。また、第１方向Ｄ１の一端（図１０及び図１１の左端）に位置するフィルタブロック２２の上記一端側の側面２２ｃはリフレクタ２４に密着する。一方、第１方向Ｄ１の他端（図１０及び図１１の右端）に位置するフィルタブロック２２の上記他端側の側面２２ｃは露出した状態とされる。複数のフィルタブロック２２のぞれぞれの第１方向Ｄ１の長さ（側面２２ｃの間隔）は、レンズアレイ１１のレンズ部１１ａの間隔に応じて設定される。
【００４３】
反射鏡ブロック２３は、各フィルタブロック２２に接触する第１面２３ａと、第１面２３ａの反対側を向く第２面２３ｂと、第１面２３ａ及び第２面２３ｂに直交する一対の側面２３ｃとを有する。第１面２３ａ、第２面２３ｂ及びリフレクタ２４側の側面２３ｃは、共に精密加工がなされている。この精密加工により、第１面２３ａと第２面２３ｂとの平行度を確保し、第２面２３ｂとリフレクタ２４側の側面２３ｃとの垂直度を確保すると共に、第１面２３ａと第２面２３ｂとの間隔が所望の間隔となる。第２面２３ｂは、ベース２１の第２内面２１ｄに密着する。第２面２３ｂには、例えば、反射鏡となる金属が蒸着されており、第２面２３ｂは、第１方向Ｄ１に沿って延びる第２反射面に相当する。また、反射鏡ブロック２３の一方の側面２３ｃはリフレクタ２４に密着し、他方の側面２３ｃは露出した状態とされる。
【００４４】
リフレクタ２４は、１個のフィルタブロック２２と反射鏡ブロック２３とを跨ぐように第２方向Ｄ２に延びている。リフレクタ２４は、１本の光ファイバ７からの光、又は第２面２３ｂからの光を反射するために設けられる。リフレクタ２４は、１個のフィルタブロック２２及び反射鏡ブロック２３に密着する密着面２４ａと、密着面２４ａの反対側を向く反射面２４ｂとを有し、密着面２４ａ及び反射面２４ｂは互いに平行となっている。反射面２４ｂは、光ファイバ７の光軸方向である方向Ａ２に対して傾斜する第２方向Ｄ２に延びる第１反射面に相当し、入射された光を全反射させる。リフレクタ２４の反射面２４ｂの反射点２４ｃは、リフレクタ２４をベース２１の第２内面２１ｄに沿って方向Ｄ１に動かすことによって調整可能である。反射点２４ｃが、フィルタブロック２２の第２面２２ｂ（多層膜）を第１方向Ｄ１に延長した位置に位置するように、リフレクタ２４はベース２１に搭載される。
【００４５】
次に、ＴＦＢアセンブリ２０及びフェルール１０における光の光路について、光モジュール１が光分波器である場合、及び光モジュール１が光合波器である場合のそれぞれについて説明する。なお、説明の便宜上、複数のフィルタブロック２２については、図１１の左から順にフィルタブロック２２Ａ，２２Ｂ，２２Ｃ，２２Ｄとして説明し、利用する光ファイバ７については、図１１の左から順に光ファイバ７Ａ，７Ｂ，７Ｃ，７Ｄ，７Ｅとして説明する。
【００４６】
まず、光モジュール１が光分波器である場合、例えば、１本の光ファイバ７Ａからレンズアレイ１１の１つのレンズ部１１ａを介してリフレクタ２４に光Ｌ１が入射する。光Ｌ１は、例えば互いに波長の異なる４つの光信号を含むＷＤＭ信号である。リフレクタ２４に入射した光Ｌ１はリフレクタ２４の反射点２４ｃにおいて反射し、反射鏡ブロック２３の第２面２３ｂに到達する。第２面２３ｂは複数の光ファイバ７が並ぶ方向Ａ１に対して傾いているため、第２面２３ｂに到達した光Ｌ１は第２面２３ｂにおいて反射してリフレクタ２４に隣接するフィルタブロック２２Ａに向かう。
【００４７】
フィルタブロック２２Ａに向かう光Ｌ１は、フィルタブロック２２Ａの第２面２２ｂに到達し、光Ｌ１のうち特定波長（第１波長）の光Ｌ２のみがフィルタブロック２２Ａを透過する。フィルタブロック２２Ａを透過した光Ｌ２は、レンズアレイ１１のレンズ部１１ａを介して光ファイバ７Ｂに集光される。一方、光Ｌ１のうち特定波長（第１波長）以外の光Ｌ３は、第２面２２ｂにおいて反射し、第２面２２ｂは方向Ａ１に対して傾いているため、反射鏡ブロック２３の第２面２３ｂに向かう。第２面２３ｂに到達した光Ｌ３は、第２面２３ｂにおいて反射し、フィルタブロック２２Ａに隣接するフィルタブロック２２Ｂに向かう。
【００４８】
フィルタブロック２２Ｂに向かう光Ｌ３は、フィルタブロック２２Ｂの第２面２２ｂに到達し、光Ｌ３のうち特定波長（第２波長）の光Ｌ４のみがフィルタブロック２２Ｂを透過する。フィルタブロック２２Ｂを透過した光Ｌ４は、レンズアレイ１１のレンズ部１１ａを介して光ファイバ７Ｃに集光される。一方、光Ｌ３のうち特定波長（第２波長）以外の光Ｌ５は、第２面２２ｂにおいて反射し、上記同様、反射鏡ブロック２３の第２面２３ｂに向かう。第２面２３ｂに到達した光Ｌ５は、第２面２３ｂにおいて反射しフィルタブロック２２Ｂに隣接するフィルタブロック２２Ｃに向かう。
【００４９】
フィルタブロック２２Ｃに向かう光Ｌ５は、上記同様、第２面２２ｂに到達し、光Ｌ５のうち特定波長（第３波長）の光Ｌ６のみがフィルタブロック２２Ｃを透過する。光Ｌ６は、レンズアレイ１１のレンズ部１１ａを介して光ファイバ７Ｄに集光される。一方、光Ｌ５のうち特定波長（第３波長）以外の光Ｌ７は、第２面２２ｂにおいて反射し、第２面２３ｂに向かう。光Ｌ７は、第２面２３ｂにおいて反射しフィルタブロック２２Ｃに隣接するフィルタブロック２２Ｄに向かう。フィルタブロック２２Ｄにおける光の透過波長帯域は、光Ｌ７を透過可能な波長（第４波長）とされているため、光Ｌ７はフィルタブロック２２Ｄを透過する。フィルタブロック２２Ｄを透過した光Ｌ７は、上記同様、光ファイバ７Ｅに集光される。以上より、１本の光ファイバ７Ａから入射した光Ｌ１を、光Ｌ２、光Ｌ４、光Ｌ６、及び光Ｌ７のそれぞれ互いに波長の異なる４つの光に分波することが可能である。光Ｌ１，Ｌ２，Ｌ３，Ｌ４，Ｌ５，Ｌ６，Ｌ７はコリメート光である。
【００５０】
ところで、第１波長、第２波長、第３波長、及び第４波長のそれぞれの値は任意に設定することができる。それぞれの値に応じて、複数のフィルタブロック２２のそれぞれの誘電体多層膜コート面の分光特性を適宜設定する。例えば、波長の短い順（あるいは長い順）に第１波長、第２波長、第３波長、及び第４波長を設定した場合、フィルタブロック２２Ａの第２面２２ｂには、第１波長を透過帯域に含み、第２波長、第３波長、及び第４波長を反射帯域に含むような分光特性を有する誘電体多層膜コート面を形成し、フィルタブロック２２Ｂの第２面２２ｂには、第２波長を透過帯域に含み、第３波長及び第４波長を反射帯域に含むような分光特性を有する誘電体多層膜コート面を形成し、フィルタブロック２２Ｃの第２面２２ｂには、第３波長を透過帯域に含み、第４波長を反射帯域に含むような分光特性を有する誘電体多層膜コート面を形成する（フィルタブロック２２Ｄについても同様）。なお、この場合、光Ｌ３は第１波長の光を含んでいないので、フィルタブロック２２Ｂの誘電体多層膜コート面の分光特性の透過領域は、第１波長を含んでいてもよく、光Ｌ５は第１波長の光及び第２波長の光を含んでいないので、フィルタブロック２２Ｃの誘電体多層膜コート面の分光特性の透過領域は、第１波長及び第２波長を含んでいてもよい。
【００５１】
光モジュール１が光合波器である場合は、光モジュール１が光分波器である場合とは光の進行方向が逆となっている。具体的には、光ファイバ７Ｂ，７Ｃ，７Ｄ，７Ｅのそれぞれからレンズアレイ１１の各レンズ部１１ａを介してフィルタブロック２２Ａ，２２Ｂ，２２Ｃ，２２Ｄのそれぞれに光Ｌ２、光Ｌ４、光Ｌ６、及び光Ｌ７のそれぞれが入射する。フィルタブロック２２Ａ，２２Ｂ，２２Ｃ，２２Ｄのそれぞれは、光Ｌ２、光Ｌ４、光Ｌ６、及び光Ｌ７のそれぞれを透過する。
【００５２】
フィルタブロック２２Ｄを透過した第４波長の光Ｌ７は、第２面２３ｂにおいて反射し、フィルタブロック２２Ｃに到達して第２面２２ｂにて反射すると共に第３波長の光Ｌ６と合波して光Ｌ５となる。光Ｌ５は、第２面２３ｂにおいて反射し、フィルタブロック２２Ｂに到達して第２面２２ｂにて反射すると共に第２波長の光Ｌ４と合波して光Ｌ３となる。光Ｌ３は、第２面２３ｂにおいて反射し、フィルタブロック２２Ａに到達して第２面２２ｂにて反射すると共に第１波長の光Ｌ２と合波して光Ｌ１となる。そして、光Ｌ１は、第２面２３ｂにおいて反射してリフレクタ２４の反射点２４ｃに到達し、反射点２４ｃにおいて反射した後に、レンズアレイ１１のレンズ部１１ａによって光ファイバ７Ａに集光される。以上より、４本の光ファイバ７Ｂ，７Ｃ，７Ｄ，７Ｅのそれぞれから入射した互いに波長の異なる光Ｌ２、光Ｌ４、光Ｌ６、及び光Ｌ７を、１つの光Ｌ１（ＷＤＭ信号）に合波することが可能である。
【００５３】
続いて、光モジュール１から得られる作用効果について詳細に説明する。光モジュール１では、リフレクタ２４は、レンズアレイ１１に対向すると共に光ファイバ７の光軸方向である方向Ａ２に対して傾斜する第２方向Ｄ２に沿って延びる反射面２４ｂを有し、反射鏡ブロック２３は第１方向Ｄ１に沿って延びる反射面である第２面２３ｂを有し、各フィルタブロック２２は受けた光のうちそれぞれ特定波長の光のみを透過すると共に特定波長以外の波長を反射する。よって、１本の光ファイバ７Ａからレンズアレイ１１を介してリフレクタ２４に向かう光Ｌ１は、反射面２４ｂにおいて反射して第２面２３ｂに到達し、第２面２３ｂにおいて反射された後にフィルタブロック２２Ａに入射する。
【００５４】
フィルタブロック２２Ａに入射した光Ｌ１のうち、特定波長（第１波長）の光Ｌ２はフィルタブロック２２Ａを透過して光ファイバ７Ｂに到達し、特定波長（第１波長）以外の光Ｌ３はフィルタブロック２２Ａにおいて反射され別のフィルタブロック２２Ｂに入射する。このように、１本の光ファイバ７Ａからリフレクタ２４に向かう光Ｌ１を各フィルタブロック２２Ａ，２２Ｂ，２２Ｃ，２２Ｄ及び各光ファイバ７Ｂ，７Ｃ，７Ｄ，７Ｅに分岐することができると共に、互いに異なる波長を有する複数の光Ｌ２，Ｌ４，Ｌ６，Ｌ７を等間隔に光ファイバ７Ｂ，７Ｃ，７Ｄ，７Ｅに入射させることができる。
【００５５】
また、各光ファイバ７Ｂ，７Ｃ，７Ｄ，７Ｅから各フィルタブロック２２Ａ，２２Ｂ，２２Ｃ，２２Ｄに入射する互いに異なる波長の光Ｌ２，Ｌ４，Ｌ６，Ｌ７は、上記の光の光路と逆向きに進行するので、各フィルタブロック２２Ａ，２２Ｂ，２２Ｃ，２２Ｄ、反射鏡ブロック２３、リフレクタ２４及びレンズアレイ１１を介して１本の光ファイバ７Ａに合流させることができる。
【００５６】
更に、光モジュール１では、リフレクタ２４、反射鏡ブロック２３、及び複数のフィルタブロック２２がいずれもベース２１上に搭載される。従って、ベース２１上にリフレクタ２４、反射鏡ブロック２３、及び複数のフィルタブロック２２を効率よく配置することにより、各部品の小型化を維持しつつ、光を合波又は分波する光モジュール１を効率よく製造することができる。よって、製造性を良好にすると共に光モジュール１の小型化を実現させることができる。
【００５７】
また、光ファイバ７が並ぶ方向Ａ１に対する第１方向Ｄ１の角度は１２°である。従って、光ファイバ７が並ぶ方向Ａ１に対して複数のフィルタブロック２２を並べる方向が傾くので、複数のフィルタブロック２２を効率よく配置することができる。よって、製造性を良好にすると共に光モジュール１の小型化を実現させることができる。
【００５８】
また、複数のフィルタブロック２２のそれぞれに対する光の入射角は８°である。このように、複数のフィルタブロック２２光の入射角を小さくすることによって誘電体多層膜コート面の分光特性への入射角依存性の影響を低減することができる。
【００５９】
また、光ファイバ７の光軸方向である方向Ａ２に対する第２方向Ｄ２の角度は１２°である。従って、光ファイバ７の光軸方向に対するリフレクタ２４の反射面２４ｂの延在方向が１２°となる。よって、１本の光ファイバ７Ａからの光Ｌ１を小さい角度で反射面２４ｂに入射させることができる。
【００６０】
また、複数のフィルタブロック２２、反射鏡ブロック２３、及びリフレクタ２４は、ベース２１上において互いに密着する。すなわち、ベース２１上に搭載される各部品が互いに密着する。従って、ベース２１上の各部品を密着した状態で搭載できるので、各部品を一層効率よく配置することができる。よって、光モジュール１の小型化を実現させると共に製造性を更に高めることができる。
【００６１】
（第２実施形態）
次に、第２実施形態に係る光モジュールについて説明する。以降の説明では、重複を回避するため、第１実施形態と重複する説明を適宜省略する。図１２は、第２実施形態に係る光モジュール３１を示す斜視図である。図１２に示されるように、光モジュール３１は、複数の第１コネクタ３２Ａと、複数の第２コネクタ３２Ｂと、各第１コネクタ３２Ａから延びる複数の第１ケーブル３３Ａと、各第２コネクタ３２Ｂから延びる複数の第２ケーブル３３Ｂと、第１ケーブル３３Ａ及び第２ケーブル３３Ｂに接続されたジャケット３４と、ジャケット３４から延び出すリボンファイバ３５と、リボンファイバ３５のジャケット３４との反対側に位置するフェルール４０と、フェルール４０に取り付けられるＴＦＢアセンブリ５０とを備える。
【００６２】
光モジュール３１は、光信号を合波及び分波する合分波モジュール（光合分波器）である。例えば、第１コネクタ３２Ａは合波側光コネクタであり、第２コネクタ３２Ｂは分波側光コネクタである。具体的には、Ｎ個（Ｎは３以上の自然数）の第１コネクタ３２Ａのうち、Ｎ−１個の第１コネクタ３２Ａから光モジュール３１に互いに異なる波長の光信号が入力されたとき、ＴＦＢアセンブリ５０は、入力されたＮ−１個の互いに異なる波長の光信号を１つの光信号（ＷＤＭ信号）に合波する。ＴＦＢアセンブリ５０が合波して得られた１つの光信号は、残り１個の第１コネクタ３２Ａから光モジュール３１の外部に出力される。
【００６３】
また、Ｍ個（Ｍは３以上の自然数）の第２コネクタ３２Ｂのうち、１個の第２コネクタ３２Ｂから光モジュール３１に光信号（ＷＤＭ信号）が入力されたとき、ＴＦＢアセンブリ５０は、入力された１つの光信号をＭ−１個の光信号に分波する。ＴＦＢアセンブリ５０が分波して得られたＭ−１個の光信号は、残りＭ−１個の第２コネクタ３２Ｂのそれぞれから光モジュール３１の外部に出力される。このように、光モジュール３１は、光信号の合波と分波とを共に行うことが可能な合分波モジュールである。なお、光信号の流れの詳細については後述する。
【００６４】
第１コネクタ３２Ａ及び第２コネクタ３２Ｂの構成は、例えば、前述したコネクタ２の構成と同一であり、第１ケーブル３３Ａ及び第２ケーブル３３Ｂの構成は前述したケーブル３の構成と同一である。第１ケーブル３３Ａ及び第２ケーブル３３Ｂのそれぞれは、ジャケット３４の下段及び上段のそれぞれに接続されている。第１ケーブル３３Ａ及び第２ケーブル３３Ｂのそれぞれはジャケット３４から互いに分岐して延びている。
【００６５】
図１３は、ジャケット３４、リボンファイバ３５、フェルール４０及びＴＦＢアセンブリ５０を示す斜視図である。図１４は、フェルール４０及びＴＦＢアセンブリ５０を拡大した図である。図１３及び図１４に示されるように、リボンファイバ３５は、例えば、２×１２リボンファイバである。リボンファイバ３５の先端にはフェルール４０が取り付けられており、フェルール４０は複数の光ファイバ３７を保持している。
【００６６】
例えば、フェルール４０は、２４本の光ファイバ３７を保持する２４芯ＭＴコネクタを構成する。リボンファイバ３５及びフェルール４０では、１２本の光ファイバ３７が方向Ａ１に沿って配列されており、方向Ａ１に沿って並ぶ１２本の光ファイバ３７の組が上下２列に二組設けられる。すなわち、方向Ａ１に沿って並ぶ１２本の光ファイバ３７の組は、高さ方向である方向Ａ３に沿って二組設けられる。
【００６７】
フェルール４０の端面にはレンズアレイ４１が取り付けられる。レンズアレイ４１の構成は、例えば前述したレンズアレイ１１の構成と同様であり、コリメートレンズであるレンズ部の数がレンズアレイ１１とは異なっている。レンズアレイ４１では、方向Ａ１に沿って１２個のレンズ部が配列されており、方向Ａ１に沿って並ぶ１２個のレンズ部の組が上下２列に二組設けられる。レンズアレイ４１のレンズ部の配列は、フェルール４０における光ファイバ３７の配列に対応している。第２実施形態では、２４本の光ファイバ３７のうちの１０本（上側の配列のうち５本と下側の配列のうちの５本）を利用する。
【００６８】
ＴＦＢアセンブリ５０は、フェルール４０に取り付けられるベース５１と、複数のフィルタブロック５２と、フィルタブロック５２から見てレンズアレイ４１の反対側に配置される反射鏡ブロック５３（合分波ブロック）と、光ファイバ３７又は反射鏡ブロック５３からの光を反射するリフレクタ５４とを備える。ベース５１、フィルタブロック５２、反射鏡ブロック５３及びリフレクタ５４のそれぞれの構成及び機能は、例えば、前述したベース２１、フィルタブロック２２、反射鏡ブロック２３及びリフレクタ２４のそれぞれの構成及び機能と同様である。
【００６９】
ＴＦＢアセンブリ５０及びフェルール４０における光の光路について図１４及び図１５を参照しながら説明する。図１５は、ＴＦＢアセンブリ５０及びフェルール４０を光ファイバ３７が並ぶ方向Ａ１から見た側面図である。図１４及び図１５に示されるように、ＴＦＢアセンブリ５０及びフェルール４０では、方向Ａ３の一方側（例えば図１５の上側）における光の進行方向と、方向Ａ３の他方側（例えば図１５の下側）における光の進行方向とが互いに逆とされている。例えば、方向Ａ３の一方側には第１コネクタ３２Ａの光が通り、方向Ａ３の他方側には第２コネクタ３２Ｂの光が通る。方向Ａ３の一方側を通る光の光路と、方向Ａ３の他方側を通る光の光路とは、互いに干渉しない程度に離間している。
【００７０】
４個の第１コネクタ３２Ａのそれぞれから互いに波長の異なる光信号が光モジュール３１に入力されると、４本の光ファイバ３７のそれぞれからレンズアレイ４１を介して４個のフィルタブロック５２のそれぞれに各光信号が入射する。各フィルタブロック５２は各光を透過する。４つのフィルタブロック５２のうち、リフレクタ５４に隣接しない３つのフィルタブロック５２を透過した光は、反射鏡ブロック５３の第２面２３ｂにおいて反射し、隣接するフィルタブロック５２に入射すると共にフィルタブロック５２を透過した光と合波する。
【００７１】
一方、４つのフィルタブロック５２のうち、リフレクタ５４に隣接するフィルタブロック５２を透過した光は、反射鏡ブロック５３の第２面２３ｂにおいて反射してリフレクタ５４の反射点２４ｃに到達する。反射点２４ｃに到達した光は、反射点２４ｃにおいて反射した後にレンズアレイ４１を介して１本の光ファイバ３７に集光される。以上のように、光モジュール３１では、４本の光ファイバ３７のそれぞれから入射した互いに波長の異なる光信号を１つの多重化された光信号（ＷＤＭ信号）に合波することが可能である。
【００７２】
図１６は、方向Ａ３の他方側（例えば図１５の下側）における光ファイバ３７、及び光ファイバ３７を通る光の光路を示している。図１５及び図１６に示されるように、１本の第２コネクタ３２Ｂから多重化された光信号が光モジュール３１に入力されると、１本の光ファイバ３７を介してリフレクタ５４に当該光が入射する。リフレクタ５４に入射した光は、リフレクタ５４の反射点２４ｃにおいて反射し、反射鏡ブロック５３の第２面２３ｂに到達する。第２面２３ｂに到達した光は第２面２３ｂにおいて反射してリフレクタ５４に隣接するフィルタブロック５２に到達する。
【００７３】
フィルタブロック５２に到達した光のうち、特定波長（第１波長）の光のみがフィルタブロック５２を透過する。フィルタブロック５２を透過した光は、レンズアレイ４１を介して光ファイバ３７に集光される。一方、フィルタブロック５２に到達した光のうち、特定波長（第１波長）以外の光は、フィルタブロック５２において反射し、反射鏡ブロック５３の第２面２３ｂに向かう。第２面２３ｂに到達した光は、第２面２３ｂにおいて反射し、上記フィルタブロック５２に隣接するフィルタブロック５２に到達する。フィルタブロック５２に到達した光のうち、特定波長（第２波長）の光のみが、前述と同様、当該フィルタブロック５２を透過しレンズアレイ４１を介して光ファイバ３７に集光される。以上のように、図１１において説明したときと同様、光モジュール３１では、１本の光ファイバ３７から入射した多重化された光信号をそれぞれ第１波長、第２波長、第３波長、及び第４波長を有する４つの光信号に分波することが可能である。
【００７４】
以上、第２実施形態に係る光モジュール３１では、１本の光ファイバ３７からリフレクタ５４に向かう光を各光ファイバ３７に分岐することができると共に、互いに異なる波長を有する複数の光を等間隔に各光ファイバ３７に入射させることができる。また、複数の光ファイバ３７のそれぞれから各フィルタブロック５２に入射する光は、前述した光の光路とは逆向きに進行するので、各フィルタブロック５２、反射鏡ブロック５３、リフレクタ５４及びレンズアレイ４１を介して１本の光ファイバ３７に合波させることができる。
【００７５】
更に、光モジュール３１では、１つのフェルール４０、及び１つのＴＦＢアセンブリ５０によって光の合波及び分波を同時に行うことができる。なお、図１５では、フェルール４０の上側に合波側光コネクタである第１コネクタ３２Ａの光が通り、フェルール４０の下側に分波側光コネクタである第２コネクタ３２Ｂの光が通る例を説明した。しかしながら、図１７に示されるように、フェルール４０の上側に第２コネクタ３２Ｂの光が通り、フェルール４０の下側に第１コネクタ３２Ａの光が通ってもよく、この場合も同様の作用効果が得られる。
【００７６】
以上、本発明に係る光モジュールの各実施形態について説明したが、本発明は前述した実施形態に限定されない。すなわち、本発明が特許請求の範囲に記載された要旨の範囲内において種々の変形及び変更が可能であることは、当業者によって容易に認識される。例えば、前述の実施形態では、ＬＣコネクタであるコネクタ２、及びパッチコードであるケーブル３について説明したが、コネクタ及びケーブルは、ＬＣコネクタ及びパッチコード以外のものであってもよく適宜変更可能である。
【００７７】
また、前述の実施形態では、フェルール１０がリボンファイバ５、ジャケット４及びケーブル３を介してコネクタ２に接続されている例について説明したが、フェルールとコネクタとの接続構造は、リボンファイバ５、ジャケット４及びケーブル３に限られず適宜変更可能である。
【００７８】
また、前述の実施形態では、フェルール１０が１２本の光ファイバ７を保持しており、ＴＦＢアセンブリ２０が１２本の光ファイバ７のうち５本を利用する例について説明し、更に、フェルール４０が２４本の光ファイバ３７を保持しており、ＴＦＢアセンブリ５０が２４本の光ファイバ３７のうち１０本を利用する例について説明した。しかしながら、フェルールが保持する光ファイバの本数、及びＴＦＢアセンブリが利用する光ファイバの本数は適宜変更可能である。但し、１２本の光ファイバ７を保持するフェルール１０を備える場合には、フェルールとして既製品の１２芯ＭＴフェルールを用いることが可能である。また、２４本の光ファイバ３７を保持するフェルール４０を備える場合には、フェルールとして既製品の２４芯ＭＴフェルールを用いることが可能である。
【００７９】
また、前述の実施形態では、ＴＦＢアセンブリ２０が利用する光ファイバ７の本数、及びレンズアレイ１１のレンズ部１１ａの個数が５個であり、フィルタブロック２２の個数が４個であり、１つの入射光を４つの出射光に分波すると共に、４つの入射光を１つの入射光に合波する光モジュール１について説明した。しかしながら、ＴＦＢアセンブリが利用する光ファイバの本数、レンズアレイのレンズ部の個数、及びフィルタブロックの個数は適宜変更可能である。また、合波又は分波する光の数も適宜変更可能である。
【００８０】
また、前述の実施形態では、凹部２１ａを有するベース２１について説明したが、ベースの形状、大きさ、及び材料は適宜変更可能である。更に、前述の実施形態では、フェルール１０がガイド孔１２ａを有し、ベース２１がガイド孔１２ａに嵌り込むガイド２１ｍを有する例について説明した。しかしながら、ベースがガイド孔を有し、フェルールが当該ガイド孔に嵌り込むガイドを有していてもよい。
【００８１】
また、前述の実施形態では、方向Ａ１に対する第１方向Ｄ１の角度、及び方向Ａ２に対する第２方向Ｄ２の角度が１２°であり、フィルタブロック２２の屈折角、反射鏡ブロック２３の屈折角、及びリフレクタ２４の屈折角が８°である例について説明した。しかしながら、前述した各角度、フィルタブロックの屈折角、反射鏡ブロックの屈折角、及びリフレクタの屈折角は、上記の値に限られずフィルタブロック２２、反射鏡ブロック２３、及びリフレクタ２４の材料の屈折率に応じて適宜変更可能である。
【符号の説明】
【００８２】
１，３１…光モジュール、２…コネクタ、３…ケーブル、４，３４…ジャケット、５，３５…リボンファイバ、６，７，７Ａ，７Ｂ，７Ｃ，７Ｄ，７Ｅ，３７…光ファイバ、７ａ…先端面、１０，４０…フェルール、１１，４１…レンズアレイ、１１ａ…レンズ部、１２…端面、１２ａ…ガイド孔、２０，５０…ＴＦＢアセンブリ、２１，５１…ベース、２１ａ…凹部、２１ｂ…底面、２１ｃ…第１内面、２１ｄ…第２内面、２１ｅ…第３内面、２１ｆ…第４内面、２１ｇ…凹部、２１ｈ…端面、２１ｊ…貫通孔、２１ｋ…凹部、２１ｍ…ガイド、２２，２２Ａ，２２Ｂ，２２Ｃ，２２Ｄ，５２…フィルタブロック、２２ａ…第１面、２２ｂ…第２面、２２ｃ…側面、２３，５３…反射鏡ブロック、２３ａ…第１面、２３ｂ…第２面、２３ｃ…側面、２４，５４…リフレクタ、２４ａ…密着面、２４ｂ…反射面、２４ｃ…反射点、３２Ａ…第１コネクタ、３２Ｂ…第２コネクタ、３３Ａ…第１ケーブル、３３Ｂ…第２ケーブル、Ａ１，Ａ２，Ａ３…方向、Ｃ…クリアランス、Ｄ１…第１方向、Ｄ２…第２方向、Ｌ１，Ｌ２，Ｌ３，Ｌ４，Ｌ５，Ｌ６，Ｌ７…光。
【図１】
2019139147.tif 000003
【図２】
2019139147.tif 000004
【図３】
2019139147.tif 000005
【図４】
2019139147.tif 000006
【図５】
2019139147.tif 000007
【図６】
2019139147.tif 000008
【図７】
2019139147.tif 000009
【図８】
2019139147.tif 000010
【図９】
2019139147.tif 000011
【図１０】
2019139147.tif 000012
【図１１】
2019139147.tif 000013
【図１２】
2019139147.tif 000014
【図１３】
2019139147.tif 000015
【図１４】
2019139147.tif 000016
【図１５】
2019139147.tif 000017
【図１６】
2019139147.tif 000018
【図１７】
2019139147.tif 000019